(57)【特許請求の範囲】
【請求項１】
遊技台に対応して設けられる各台対応装置を有する景品管理システムであって、
遊技店の店員が所持し、所定の景品との交換に要する遊技媒体数を特定するための情報を指定する指定手段と、前記指定手段によって指定された情報に基づき遊技媒体数を特定可能な減算数特定情報を前記各台対応装置に対して通知する通知手段とを有する携帯端末を備え、
前記各台対応装置は、
遊技客が獲得した遊技媒体の数を含んだ持玉価値から、前記携帯端末から通知された減算数特定情報により特定される遊技媒体数を減算する減算手段
を備えたことを特徴とする景品管理システム。
【請求項２】
前記各台対応装置は、
前記携帯端末との間で非接触データ通信を行う非接触通信部をさらに備え、
前記非接触通信部を介して前記携帯端末の前記通知手段から前記減算数特定情報を取得するものである
ことを特徴とする請求項１に記載の景品管理システム。
【請求項３】
前記各台対応装置は、
前記携帯端末の前記通知手段から前記減算数特定情報を取得したことに基づいて、前記減算数特定情報に係る処理に関する情報を、前記非接触通信部を介して前記携帯端末に送信する処理情報送信手段を有する
ことを特徴とする請求項２に記載の景品管理システム。
【請求項４】
前記指定手段による指定が行われたことに基づいて、景品の交換が行なわれることを特定可能な表示を行う交換表示手段を更に備えたことを特徴とする請求項１〜３に記載の景品管理システム。
【請求項５】
前記携帯端末は、ワゴンサービスにおけるワゴン景品交換用の携帯端末であり、該携帯端末は、ワゴンサービスの対象となる各景品に対応する減算数特定情報を予め記憶することを特徴とする請求項１〜４のいずれか一つに記載の景品管理システム。
【請求項６】
前記各台対応装置は、
自装置に対して設定された前記遊技媒体の貸出レートを記憶するレート記憶手段と、
前記レート記憶手段に記憶された貸出レートに基づき、前記携帯端末から通知された減算数特定情報から特定される遊技媒体数を所定の貸出レートの数量へ変換する変換手段とをさらに備え、
前記減算手段は、
前記変換手段によって変換された遊技媒体数を前記持玉価値から減算することを特徴とする請求項１〜５のいずれか一つに記載の景品管理システム。
【発明の詳細な説明】
【技術分野】
【０００１】
この発明は、遊技台に対応して設けられる各台対応装置を有する景品管理システムに関し、特に、ワゴンサービスにおける遊技客の利便性を向上させることができる景品管理システムに関する。
【背景技術】
【０００２】
従来から、パチンコ店などの遊技店において提供されるサービスの一つとして、ワゴンサービスが知られている。ワゴンサービスとは、たとえば、サービス員が飲食物やタバコ等の商品を積んだワゴンを運搬しながら遊技店内を巡回し、遊技中の遊技客から注文を受けると、注文された商品を遊技客へ提供するといったサービスである。
【０００３】
かかるワゴンサービスでは、一般的に、遊技客が獲得した遊技媒体を商品対価として徴収する。そして、ワゴンサービスでは、各遊技客から徴収した遊技媒体をバケツ等に溜めておき、営業終了後に、島端に設置された大型の計数機（島端計数機）でまとめて計数することによって、商品（景品）の入出庫管理や収支管理等を行っている。
【０００４】
ところが、近年では、遊技客が獲得した遊技媒体の数量を各台間装置と接続された計数部が計数する各台計数方式（たとえば、特許文献１参照）の普及によって、遊技店内に島端計数機が設置されないケースが増えており、徴収した遊技媒体を計数する作業が困難となりつつある。そこで、現物の遊技媒体を徴収するのではなく、台間装置の計数部によって計数された遊技媒体数の値（持玉価値）から商品代金に相当する遊技媒体数を減算することによって商品代金を徴収する運用が提案されている。
【０００５】
このような運用の一つとして、たとえば、持玉価値が関連付けられた一般カードや会員カードといった遊技カードを一時的に台間装置から排出させ、かかる遊技カードに関連付けられた持玉価値をサービス員が所持する決済用端末によって読み取り、読み取った持玉価値から商品対価に相当する遊技媒体数を減算するシステムが考案されている。
【先行技術文献】
【特許文献】
【０００６】
【特許文献１】特開２００７−２２９１１１号公報
【発明の概要】
【発明が解決しようとする課題】
【０００７】
しかしながら、上述した従来のシステムでは、持玉価値の徴収に要する作業が効率的ではないために、ワゴンサービスにおける遊技客の利便性を低下させてしまうという問題があった。すなわち、上述したシステムでは、遊技カードに関連付けられた持玉価値を決済端末で読み取る必要があるため、遊技カードを一時的に台間装置から排出させなければならないという煩雑さがある。しかも、かかるカードの排出操作を遊技客に対して行わせることによって、遊技客にとっての利便性を損なう恐れもある。
【０００８】
これらのことから、ワゴンサービスにおける遊技客の利便性を向上させることができる景品管理システムあるいは各台対応装置をいかにして実現するかが大きな課題となっている。
【０００９】
本発明は、上述した従来技術による問題点を解消するためになされたものであって、ワゴンサービスにおける遊技客の利便性を向上させることができる景品管理システムを提供することを目的とする。
【課題を解決するための手段】
【００１０】
上述した課題を解決し、目的を達成するため、本発明は、遊技台に対応して設けられる各台対応装置を有する景品管理システムであって、遊技店の店員が所持し、所定の景品との交換に要する遊技媒体数を特定するための情報を指定する指定手段と、前記指定手段によって指定された情報に基づき遊技媒体数を特定可能な減算数特定情報を前記各台対応装置に対して通知する通知手段とを有する携帯端末を備え、前記各台対応装置は、遊技客が獲得した遊技媒体の数を含んだ持玉価値から、前記携帯端末から通知された減算数特定情報により特定される遊技媒体数を減算する減算手段を備えたことを特徴とする。
【００１１】
また、本発明は、上記の発明において、前記各台対応装置は、前記携帯端末との間で非接触データ通信を行う非接触通信部をさらに備え、前記非接触通信部を介して前記携帯端末の前記通知手段から前記減算数特定情報を取得するものであることを特徴とする。
また、本発明は、上記の発明において、前記各台対応装置は、前記携帯端末の前記通知手段から前記減算数特定情報を取得したことに基づいて、前記減算数特定情報に係る処理に関する情報を、前記非接触通信部を介して前記携帯端末に送信する処理情報送信手段を有することを特徴とする。
また、本発明は、上記の発明において、前記指定手段による指定が行われたことに基づいて、景品の交換が行なわれることを特定可能な表示を行う交換表示手段を更に備えたことを特徴とする。
【００１２】
また、本発明は、上記の発明において、前記携帯端末は、ワゴンサービスにおけるワゴン景品交換用の携帯端末であり、該携帯端末は、ワゴンサービスの対象となる各景品に対応する減算数特定情報を予め記憶することを特徴とする。
【００１６】
また、本発明は、上記の発明において、前記各台対応装置は、自装置に対して設定された前記遊技媒体の貸出レートを記憶するレート記憶手段と、前記レート記憶手段に記憶された貸出レートに基づき、前記携帯端末から通知された減算数特定情報から特定される遊技媒体数を所定の貸出レートの数量へ変換する変換手段とをさらに備え、前記減算手段は、前記変換手段によって変換された遊技媒体数を前記持玉価値から減算することを特徴とする。
【発明の効果】
【００１８】
本発明によれば、遊技店の店員が所持し、所定の景品との交換に要する遊技媒体数を特定するための情報を指定する指定手段と、指定手段によって指定された遊技媒体数を特定可能な減算数特定情報を各台対応装置に対して通知する通知手段とを有する携帯端末を備え、各台対応装置が、遊技客が獲得した遊技媒体の数を含んだ持玉価値から、前記携帯端末から通知された減算数特定情報により特定される遊技媒体数を減算する減算手段を備えることとしたので、ワゴンサービスにおける遊技客の利便性を向上させることができるという効果を奏する。
【００２０】
また、本発明によれば、携帯端末は、ワゴンサービスにおけるワゴン景品交換用の携帯端末であり、該携帯端末は、ワゴンサービスの対象となる各景品に対応する減算数特定情報を予め記憶することとしたので、景品との交換に要する遊技媒体数をワゴンサービスのサービス員が取引の都度入力する必要がなくなる結果、サービス員による作業を簡略化できるとともに、入力ミスによるトラブルを防止することができるとともに、サービス員が入力しやすい姿勢で作業を行うことができるという効果を奏する。
【００２４】
また、本発明によれば、各台対応装置が、自装置に対して設定された遊技媒体の貸出レートを記憶するレート記憶手段と、レート記憶手段に記憶された貸出レートに基づき、携帯端末から通知された減算数特定情報から特定される遊技媒体数を所定の貸出レートの数量へ変換する変換手段とをさらに備え、減算手段は、変換手段によって変換された遊技媒体数を持玉価値から減算することとしたので、遊技店内に異なる貸出レートの遊技台が設置される場合であっても、貸出レートごとに記録媒体を用意する必要がなくなる結果、サービス員の負担を軽減することができるという効果を奏する。
【図面の簡単な説明】
【００２５】
【図１】図１は、本発明に係る景品管理手法の概要を示す図である。
【図２】図２は、実施例１に係る台間装置が接続されるネットワーク環境を示す図である。
【図３】図３は、実施例１に係る台間装置の構成を示すブロック図である。
【図４】図４は、実施例１に係る台間装置の外観図である。
【図５】図５は、実施例１に係る台間装置の動作例を示す図である。
【図６】図６は、実施例１に係る景品管理装置の構成を示すブロック図である。
【図７】図７は、出庫管理情報の一例を示す図である。
【図８】図８は、台間装置が実行する処理手順を示すフローチャートである。
【図９】図９は、１枚のメニューカードを用いて複数種類のワゴン景品の取引結果を管理する場合について説明するための図である。
【図１０】図１０は、実施例２に係る景品管理システムの概要を示す図である。
【図１１】図１１は、実施例２に係るサービス員端末の構成を示すブロック図である。
【図１２】図１２は、サービス員端末と台間装置との間で実行される処理手順を示すシーケンス図である。
【図１３】図１３は、交換玉数を貯玉価値から優先的に徴収する場合の動作の概要を示す図である。
【図１４】図１４は、交換玉数を貯玉価値から優先的に徴収する場合における台間装置の処理手順を示すフローチャートである。
【図１５】図１５は、台間装置の操作・表示部への入力操作のみによって持玉価値を徴収する場合の動作を説明するための図である。
【発明を実施するための形態】
【００２６】
以下に添付図面を参照して、本発明に係る景品管理システムおよび各台対応装置の実施例を詳細に説明する。なお、以下では、各台対応装置の一例として、パチンコ店などの遊技店に設置されるパチンコ機やパチスロ機といった遊技機に対して併設される計数機能付き台間装置（以下、単に「台間装置」と記載する）を用いて説明する。
【００２７】
まず、実施例の詳細な説明に先立って、本発明に係る景品管理手法の概要について図１を用いて説明する。図１は、本発明に係る景品管理手法の概要を示す図である。同図に示すように、本発明に係る景品管理手法では、台間装置が、ワゴンサービスにおいて提供される商品との交換に必要な遊技媒体数を持玉価値から減算するとともに、自装置に対して受け付けられた所定の記録媒体へ減算結果を関連付ける点に主たる特徴がある。
【００２８】
ここで、「ワゴンサービス」とは、たとえば、遊技中の遊技客からの注文に応じてジュースやタバコといった商品（以下、「ワゴン景品」と記載する）をデリバリーするサービスである。また、「持玉価値」は、遊技客が遊技台で獲得した遊技媒体の数量であり、たとえば、台間装置に設けられた計数部によって計数される。
【００２９】
図１の（Ａ）に示したように、本発明に係る景品管理手法では、ワゴン景品交換用のＩＣ（Integrated Circuit）カードである「メニューカード」がワゴン景品の種類ごとに用意される。かかるメニューカードは、ワゴン景品との交換に必要な遊技媒体数である減算数情報（以下、「交換玉数」と記載する）を予め記憶している。
【００３０】
また、各メニューカードには、対応するワゴン景品の景品名や交換玉数が印字されており、ワゴンサービスのサービス員は、遊技中の遊技客から注文を受けると、各ワゴン景品に対応する複数枚のメニューカードの中から、注文されたワゴン景品に対応するメニューカードを取り出す。そして、サービス員は、一般カードや会員カードを受け付けるカード挿入部へメニューカードを挿入したり、あるいは、メニューカードとの間で非接触データ通信を行うリーダライタ部に対してメニューカードをかざしたりすることによって、メニューカードを台間装置に対して受け付けさせる。
【００３１】
一方、台間装置は、メニューカードを受け付けると、メニューカードに記憶された交換玉数を読み取る（同図の（Ａ−１）参照）。たとえば、同図の（Ａ）に示したように、交換玉数「５０玉」が予め記憶されたジュース用のメニューカードを受け付けると、台間装置は、かかるメニューカードから交換玉数「５０玉」を読み取る。
【００３２】
つづいて、台間装置は、自装置に対して関連付けられた持玉価値から交換玉数を減算する（同図の（Ａ−２）参照）。たとえば、自装置に関連付けられた持玉価値が「１０００玉」である場合には、台間装置は、持玉価値「１０００玉」から交換玉数「５０玉」を減算する。ここで、台間装置は、自装置に対して設定された貸出レートに応じて交換玉数を調整することもできる。
【００３３】
つづいて、台間装置は、減算結果をメニューカードに対して記録させる（同図の（Ａ−３）参照）。同図に示した場合、台間装置は、交換玉数「５０玉」を減算結果としてメニューカードへ通知する。そして、メニューカードは、各遊技客から徴収した持玉価値の総数である「徴収総数」に対して減算結果「５０玉」を加算するとともに、各遊技客へ提供したワゴン景品の個数である「売上数」に対して「１本」を加算する（同図の（Ａ−４）参照）。
【００３４】
なお、ここでは、メニューカードが、各遊技客から徴収した持玉価値（減算結果）を合算して記憶する場合について説明したが、減算結果を個別に記憶するようにしてもよい。
【００３５】
このように、本発明に係る景品管理手法では、台間装置が、持玉価値から交換玉数を減算するとともに、自装置に対して受け付けられたメニューカードへ減算結果を関連付けるため、ワゴン景品の対価として持玉価値を徴収する場合に、従来のように一般カードや会員カードを一時的に台間装置から排出させる必要がなくなる。
【００３６】
したがって、本発明に係る景品管理手法によれば、一般カードや会員カードの排出操作を遊技客に対して行わせることなく、しかも、持玉価値の徴収を迅速に行うことができるため、遊技客にとってのワゴンサービスの利便性を向上させることができる。
【００３７】
なお、ここでは、メニューカードに交換玉数が予め記憶されている場合について説明したが、メニューカードには、必ずしも交換玉数が記憶されていなくともよい。たとえば、サービス員は、メニューカードを台間装置へ挿入あるいはかざした後に、台間装置に設けられた操作部に対して交換玉数を入力するようにしてもよい。また、メニューカードには各ワゴン景品を識別する識別情報である景品コードを記憶させておき、台間装置が、メニューカードから景品コードを読み取るとともに、読み取った景品コードに基づいて交換玉数を特定してもよい。かかる場合には、景品コードが減算数情報となる。
【００３８】
また、ここでは、ワゴンサービス専用のメニューカードに対して減算結果を関連付けることとしたが、減算結果を一般カードや会員カードへ関連付けてもよい。
【００３９】
ところで、本発明に係る景品管理手法では、ワゴン景品の出庫状況を管理する景品管理装置に対してメニューカードを読み取らせることで、ワゴン景品の出庫管理を一括して行うこともできる。
【００４０】
具体的には、景品管理装置は、メニューカードとの間で非接触データ通信を行うリーダライタ部を備えており、かかるリーダライタ部を用いてメニューカードから徴収総数や売上数といった取引結果情報を読み取る（同図の（Ｂ−１）参照）。
【００４１】
そして、景品管理装置は、読み取った取引結果情報を用いて、各ワゴン景品の出庫数を含んだ出庫管理情報を更新する（同図の（Ｂ−２）参照）。たとえば、ジュースのメニューカードに徴収総数「５００玉」および売上数「１０本」が記憶されている場合、景品管理装置は、出庫管理情報の更新処理として、景品名「ジュース」の徴収総数に「５００玉」を加算するとともに、出庫数に「１０本」を加算する。なお、景品管理装置は、メニューカードから徴収総数および交換玉数を読み出し、徴収総数を交換玉数で除算することによって出庫数を算出することとしてもよい。
【００４２】
このように、メニューカードに記憶された取引結果情報に基づいて出庫管理情報を更新することとしたため、サービス員は、営業終了時やシフトチェンジ時に、メニューカードを景品管理装置に対して読み取らせるだけで、複数の遊技客との取引結果を出庫管理情報に対して一括で反映させることができる。また、景品管理装置が、取引結果情報をメニューカードから直接読み出すことにより、遊技店内の各種機器を集中管理する管理装置と景品管理装置との通信状態に左右されることなく出庫管理情報の更新を行うことができる。
【００４３】
なお、台間装置による減算結果を管理装置側でも管理することとしてもよい。このようにすれば、景品管理装置によって更新された出庫管理情報と管理装置に記憶させた減算結果とを対比することによって、出庫管理情報の整合性をチェックすることもできる。
【００４４】
以下では、図１を用いて説明した景品管理手法を適用した台間装置についての実施例を詳細に説明する。なお、以下に示す実施例では、遊技客が獲得した遊技媒体を遊技台ごとに計数する各台計数機能を備えた台間装置について説明するが、各台計数機能を備えない台間装置に対しても本発明を適用することができる。
【００４５】
また、以下に示す実施例では、メニューカードとの台間装置との通信方式として、一般カードや会員カードといった遊技カードを受け付けるカード挿入部に対してメニューカードを挿入する場合について説明する。なお、遊技客が所持する携帯電話機との間で非接触データ通信を行うリーダライタ部に対してメニューカードをかざすことによって、メニューカードとの台間装置とを通信させることとしてもよい。
【実施例１】
【００４６】
図２は、本実施例に係る台間装置１０が接続されるネットワーク環境を示す図である。同図に示すように、遊技台１００ごとに設けられる台間装置１０は、店舗内ＬＡＮ（Local  Area  Network）２０などのネットワーク経由で、管理装置２００、島コントローラ３００、精算機４００、景品管理装置５００、カード処理機６００、景品払出機７００といった各機器と接続されている。なお、景品管理システムは、少なくとも台間装置１０を含むものとする。
【００４７】
ここで、ワゴンサービスのサービス員は、遊技中の遊技客からの注文を受けると、注文されたワゴン景品に対応するメニューカードを取り出し、取り出したメニューカードを遊技客が遊技中の遊技台１００に対応する台間装置１０へ挿入する。また、サービス員は、所定のタイミング（たとえば、勤務交代時や営業終了後など）に、自分が所持するメニューカードを景品管理装置に順次読み取らせることによって、各メニューカードに記憶された取引結果を出庫管理情報に対して反映させる。
【００４８】
島コントローラ３００は、台間装置１０および遊技台１００が設置される遊技島ごとに設けられる中継装置であり、管理装置２００／台間装置１０間、あるいは、管理装置２００／遊技台１００間の通信データを中継する。
【００４９】
また、台間装置１０が遊技カード（一般カードや会員カード）を返却した場合、他の遊技台１００で遊技を継続する意志がない遊技客は、遊技カードを精算機４００へ挿入することで、プリペイド価値（プリペイド残額）に応じた貨幣を受け取る。
【００５０】
また、遊技客は、景品交換コーナーへ遊技カードを持参し、カード処理機６００に遊技カードをかざしたり挿入したりする。そして、遊技店の従業員が景品管理装置５００や景品払出機７００を操作することで、遊技客は、持玉価値に応じた景品を受け取ることになる。
【００５１】
なお、同図に示すように、管理装置２００は、一般カードや会員カードといった遊技カードに関連付けられる価値を管理する記録媒体管理ＤＢ（データベース）２０１を有している。そして、記録媒体管理ＤＢ２０１は、プリペイド価値を管理するカードＤＢ（データベース）２０１ａと、遊技客が獲得した遊技媒体を換金したり景品交換したりすることなく遊技店へ預けておくことを指す貯玉を管理する貯玉ＤＢ（データベース）２０１ｂと、遊技店が獲得した持玉価値を管理する持玉ＤＢ（データベース）２０１ｃとから構成される。
【００５２】
たとえば、台間装置１０が返却する遊技カードに価値付けられる持玉価値やプリペイド価値は、管理装置２００が管理するプリペイドカードＤＢ２０１ａや、持玉ＤＢ２０１ｃによっても管理されている。
【００５３】
また、貯玉ＤＢ（データベース）２０１ｂは、遊技店の会員に対して配布される会員カードに付与された貯玉サービスを行うためのデータベースであり、一般カードの場合には、プリペイドカードＤＢ（データベース）２０１ａおよび持玉ＤＢ（データベース）２０１ｃのみが関連する。なお、遊技カードに価値付けられる持玉価値やプリペイド価値は、台間装置１０からのカード返却時だけでなく、所定のタイミング（定期的な通信時、入金時あるいは後述する景品交換時など）においても管理装置２００へ通知されてデータ更新される。
【００５４】
ここで、貯玉ＤＢ（データベース）２０１ｂについては、会員用の管理装置を別途設けることとしたうえで、かかる会員用の管理装置が貯玉ＤＢ（データベース）２０１ｂを管理することとしてもよい。
【００５５】
次に、本実施例に係る台間装置１０の構成について図３を用いて説明する。図３は、台間装置１０の構成を示すブロック図である。なお、同図には、台間装置１０の特徴を説明するために必要な構成要素のみを示しており、一般的な構成要素についての記載を省略している。
【００５６】
同図に示すように、台間装置１０は、カード保持部１１と、カード退避部１２と、計数部１３と、制御部１４と、記憶部１５とを備えている。また、制御部１４は、交換玉数取得部１４ａと、交換玉数変換部１４ｂと、減算処理部１４ｃと、関連付け部１４ｄとをさらに備えている。また、記憶部１５は、不揮発性メモリやハードディスクドライブといった記憶デバイスであり、レート情報１５ａおよび持玉情報１５ｂを記憶する。
【００５７】
カード保持部１１は、メニューカードの挿入を受け付けて保持する。また、カード保持部１１は、カードＲ／Ｗ（リーダ／ライタ）を有しており、保持したメニューカードとの間でデータ通信を行う。なお、カード保持部１１は、メニューカードの他に、遊技店の会員に対して発行される会員カードや、他の台間装置１０などによって発行された一般カードの挿入も受け付けて保持する。
【００５８】
ここで、カード保持部１１は、会員カードや一般カードを保持している状態でメニューカードが挿入された場合には、既に保持している会員カードや一般カードをカード退避部１２へと退避させたうえで、挿入されたメニューカードを保持する。
【００５９】
カード退避部１２は、カード保持部１１から退避してきた会員カードや一般カードを保持する。また、カード退避部１２は、カード保持部１１からメニューカードが排出された場合には、保持した会員カードや一般カードをカード保持部１１へと移動させる。
【００６０】
なお、カード退避部１２は、台間装置１０にあらかじめ内蔵された内蔵カード（一般カード）を積層状態で保持している。そして、カード保持部１１から退避してきた会員カードや一般カードは、積層状態で保持されている内蔵カードの最上面に載置されることとなる。
【００６１】
計数部１３は、遊技客が獲得した遊技媒体（たとえば、パチンコ玉）を計数し、計数した計数値（持玉価値）を持玉情報１５ｂとして記憶部１５に記憶させる。なお、かかる計数値がカウントアップされるたびに持玉情報１５ｂは更新されるものとする。
【００６２】
ここで、図３に示した台間装置１０の外観構成について図４を用いて説明しておく。図４は、台間装置１０の外観図である。なお、同図には、台間装置１０が併設された遊技台１００を破線で示している。また、同図では、紙幣のみを受け付ける台間装置１０を示しているが、硬貨受け付け用のユニットを備えることとしてもよい。
【００６３】
図４に示すように、台間装置１０は、台間装置１０の装置状態を所定色のランプの点灯あるいは点滅で表示する状態表示部５１と、遊技媒体貸し出しのための各種紙幣を受け付ける紙幣挿入部５２とを備えている。また、台間装置１０は、遊技店の従業員が携帯するリモコン等の携帯端末からの指示を受け付けるリモコン受光部５３と、ディスプレイなどの表示部およびテンキー、カードの返却ボタンといった操作部を含んだ操作・表示部５４とを備えている。
【００６４】
また、台間装置１０は、持玉等の遊技媒体を払い出すノズルを備えた持玉払出部５５と、遊技客が所持する携帯電話機との間で非接触データ通信を行うリーダライタ部５６とを備えている。
【００６５】
また、台間装置１０は、メニューカードや遊技カードの受け付けや返却を行うカード挿入部５７と、遊技客が獲得した遊技媒体（持玉）を計数する計数部５８と、持玉（獲得玉）を貯留する玉貯留部５９とを備えている。
【００６６】
なお、遊技台１００には、カードの残額（プリペイド残高）や、貸し出された遊技媒体の数などを表示する表示部１００ａと、遊技媒体の貸し出しを指示する貸出ボタンやカード返却を指示する返却ボタンといった操作ボタン１００ｂとが設けられる。
【００６７】
台間装置１０は、同図に示す遊技台１００の下皿１００ｃから落下した持玉（獲得玉）を玉貯留部５９でいったん貯留し、貯留した持玉（獲得玉）を計数部５８へ導く。そして、計数部５８で持玉（獲得玉）の数量を計数し、計数値を持玉価値として記憶部１５に記憶する。なお、計数後の遊技媒体は、遊技島内に形成される図示しない遊技媒体回収経路へ排出される。
【００６８】
そして、台間装置１０に持玉価値が記憶された状態で、遊技客が貸出ボタンを押下した場合には、持玉（獲得玉）を持玉払出部５５経由で遊技台１００へ投出するとともに持玉価値を減算する。なお、持玉払出部５５は、紙幣挿入部５２へ紙幣が挿入されたり、カード挿入部５７へプリペイド価値が関連付けられたカードが挿入されたりして、遊技台１００の貸し出しボタンが押下された場合の払い出しを併せて行う場合もある。
【００６９】
図３の説明に戻り、制御部１４について説明する。制御部１４は、交換玉数の取得、貸出レートに応じた交換玉数の変換処理、持玉価値の減算処理、減算結果の関連付けといった処理を行う処理部である。交換玉数取得部１４ａは、カード保持部１１によってメニューカードから読み出された交換玉数を取得する処理部である。
【００７０】
交換玉数変換部１４ｂは、レート情報１５ａに含まれる貸出レートが基準レートと異なる場合に、交換玉数取得部１４ａによって取得された交換玉数を設定レートに対応する交換玉数へ変換する処理部である。ここで、レート情報１５ａには、自装置に対して設定された貸出レート（以下、「設定レート」と記載する）が含まれている。
【００７１】
また、交換玉数変換部１４ｂは、変換後の交換玉数を減算処理部１４ｃへ渡す処理も行う。なお、交換玉数変換部１４ｂは、設定レートが基準レートと同一である場合には、交換玉数取得部１４ａによって取得された交換玉数を変換することなく減算処理部１４ｃへ渡す。
【００７２】
減算処理部１４ｃは、持玉情報１５ｂとして記憶部１５に記憶された持玉価値から、交換玉数変換部１４ｂから取得した交換玉数を減算する処理部である。また、減算処理部１４ｃは、減算後の持玉価値を持玉情報１５ｂとして記憶部１５に記憶する処理も行う。
【００７３】
関連付け部１４ｄは、減算処理部１４ｃによる減算結果をカード保持部１１へ渡すとともに、かかる減算結果をメニューカードへ通知するようにカード保持部１１に対して指示する処理部である。ここで、減算結果とは、減算処理部１４ｃによる持玉価値の減算数を含んだ情報である。
【００７４】
ここで、台間装置１０の動作例について説明する。図５は、実施例１に係る台間装置１０の動作例を示す図である。なお、以下では、メニューカードに記憶されている情報について説明したあとに、台間装置１０の動作例を説明することとする。
【００７５】
同図に示すように、メニューカードには、「景品コード」と、「交換玉数」と、「徴収総数」と、「売上数」とが記憶されている。ここで、「景品コード」とは、各ワゴン景品を識別する識別情報である。また、「交換玉数」は、ワゴン景品との交換に必要な遊技媒体数である。また、「徴収総数」は、各遊技客から徴収した持玉価値の総数であり、「売上数」は、各遊技客へ提供したワゴン景品の個数である。
【００７６】
ここで、「景品コード」および「交換玉数」は、メニューカードにあらかじめ記憶された情報であり、「徴収総数」および「売上数」は、メニューカードが、台間装置１０から取得した減算結果に応じて記憶する情報である。また、「徴収総数」および「売上数」は、貸出レートごとに記憶される。
【００７７】
たとえば、同図に示したように、ジュースＡのメニューカードには、ジュースＡの景品コード「０００１」と、交換玉数「５０玉」とが記憶されている。また、ジュースＡのメニューカードには、貸出レート「４円／玉」で遊技中の遊技客から徴収した持玉価値「１５０玉」と、貸出レート「２円／玉」で遊技中の遊技客から徴収した持玉価値「０玉」とが記憶されている（同図の（ａ−１）参照）。さらに、ジュースＡのメニューカードには、貸出レート「４円／玉」で遊技中の遊技客へ提供したジュースＡの本数「３本」と、貸出レート「２円／玉」で遊技中の遊技客へ提供したジュースＡの本数「０本」とが記憶されている（同図の（ｂ−１）参照）。
【００７８】
なお、同図に示したように、メニューカードには、対応するワゴン景品の景品名や交換玉数、基準とする貸出レート等が印字されている。このため、サービス員は、大量のメニューカードを所持する場合であっても、目的とするメニューカードを容易に見つけることができる。ここでは、同図に示したように、貸出レート「４円／玉」が基準レートであり、台間装置１０の設定レートが「２円／玉」である場合について説明する。
【００７９】
ジュースＡのメニューカードがカード挿入部５７へ挿入されると、台間装置１０では、カード保持部１１がメニューカードから交換玉数「５０玉」を読み取り、読み取った交換玉数「５０玉」を交換玉数取得部１４ａへ渡す（同図の（１）参照）。なお、メニューカードに記憶されている交換玉数は、基準レート「４円／玉」における交換玉数である。
【００８０】
つづいて、交換玉数変換部１４ｂは、メニューカードから取得した交換玉数を設定レート「２円／玉」における交換玉数へと変換する（同図の（２）参照）。具体的には、交換玉数変換部１４ｂは、メニューカードから取得した交換玉数「５０玉」に対して、基準レート「４円／玉」を設定レート「２円／玉」で除算した値「２」を乗じる。これによって、設定レート「２円／玉」における交換玉数「１００玉」が得られる。なお、ここでは、基準レートが既知の値であるものとして説明したが、基準レートは、メニューカードに記憶されていてもよい。
【００８１】
つづいて、台間装置１０では、減算処理部１４ｃが、持玉情報１５ｂとして記憶部１５に記憶されている持玉価値から交換玉数を減算する（同図の（３）参照）。同図に示した場合には、減算処理部１４ｃは、交換玉数変換部１４ｂによって変換された交換玉数「１００玉」を持玉価値「２０００玉」から減算する。この結果、持玉価値は、「１９００玉」となる。
【００８２】
つづいて、台間装置１０では、関連付け部１４ｄが、減算結果をメニューカードへ記憶させるようカード保持部１１に対して指示し、カード保持部１１が、メニューカードに対して減算結果を通知する（同図の（４）参照）。ここで、減算結果には、減算処理部１４ｃによって減算された持玉価値「１００玉」および設定レート「２円／玉」が含まれる。
【００８３】
そして、メニューカードは、カード保持部１１から取得した減算結果に応じて、「徴収総数」および「売上数」を更新する。具体的には、メニューカードは、貸出レート「２円／玉」に対応する「徴収総数」および「売上数」をそれぞれ「１００玉」、「１本」に更新する（同図の（ａ−２），（ｂ−２）参照）。なお、「売上数」は、「徴収総数」を「交換玉数」で除算することによって得られる。
【００８４】
このように、減算結果をメニューカードに対して直接記録することによって、管理装置２００と台間装置１０との通信状態に左右されることなくワゴンサービスを実施することができる。
【００８５】
次に、実施例１に係る景品管理装置５００の構成について図６を用いて説明する。図６は、実施例１に係る景品管理装置の構成を示すブロック図である。なお、同図には、景品管理装置５００の特徴を説明するために必要な構成要素のみを示しており、一般的な構成要素についての記載を省略している。
【００８６】
同図に示すように、景品管理装置５００は、リーダライタ部５０１と、制御部５０２と、記憶部５０３とを備えている。また、制御部５０２は、取引結果取得部５０２ａと、出庫管理情報更新部５０２ｂと、初期化指示部５０２ｃとを備えており、記憶部５０３は、出庫管理情報５０３ａを記憶している。
【００８７】
リーダライタ部５０１は、メニューカードとの間で非接触データ通信を行うデバイスである。具体的には、リーダライタ部５０１は、サービス員によるかざし操作によってメニューカードとの間で通信リンクが確立すると、かかるメニューカードに記憶された徴収総数や売上数といった情報を読み取る。また、リーダライタ部５０１は、通信リンクが確立したメニューカードに対して、情報の読み取りが正常に行われたことを条件として減算結果の削除指示等も行う。
【００８８】
制御部５０２は、メニューカードに記憶された情報の取得、出庫管理情報５０３ａの更新処理、メニューカードの初期化処理といった処理を行う処理部である。取引結果取得部５０２ａは、リーダライタ部５０１によってメニューカードから読み出された取引結果情報を取得する処理部である。具体的には、取引結果取得部５０２ａは、取引結果情報として、景品コード、徴収総数および売上数を取得する。
【００８９】
出庫管理情報更新部５０２ｂは、取引結果取得部５０２ａによって取得された情報を用いて出庫管理情報５０３ａを更新する。ここで、記憶部５０３に記憶される出庫管理情報５０３ａの一例について図７を用いて説明する。図７は、出庫管理情報５０３ａの一例を示す図である。
【００９０】
図７に示すように、出庫管理情報５０３ａは、「景品コード」項目と、「景品名」項目と、「徴収総数」項目と、「出庫数」項目とを含んだ情報である。「景品コード」項目は、各ワゴン景品の景品コードが格納される項目である。「景品名」項目は、ワゴン景品の景品名が格納される項目である。たとえば、「景品名」項目には、「ジュースＡ」や「タバコＡ」、「お菓子Ａ」といった景品名が格納されている。
【００９１】
「徴収総数」項目は、ワゴン景品の対価として遊技客から徴収した持玉価値を貸出レートごとに格納する項目である。具体的には、「徴収総数」項目は、貸出レート「４円／玉」で遊技中の遊技客から徴収した持玉価値の総数と、貸出レート「２円／玉」で遊技中の遊技客から徴収した持玉価値の総数と、これらの合計数とを格納する。
【００９２】
たとえば、景品コード「０００１」と関連付けられた「徴収総数」項目には、貸出レート「４円／玉」で遊技中の遊技客から徴収した持玉価値の総数「５００玉」と、貸出レート「２円／玉」で遊技中の遊技客から徴収した持玉価値の総数「２０００玉」と、これらの合計数「２５００玉」とが格納されている。
【００９３】
「出庫数」項目は、遊技客へ提供したワゴン景品の数量が貸出レートごとに格納される項目である。たとえば、景品コード「０００１」と関連付けられた「出庫数」項目には、貸出レート「４円／玉」で遊技中の遊技客へ提供したジュースＡの本数「１０本」と、貸出レート「２円／玉」で遊技中の遊技客へ提供したジュースＡの本数「２０本」と、これらの合計数「３０本」とが格納されている。
【００９４】
ここで、出庫管理情報更新部５０２ｂの動作例について説明する。たとえば、図７に示した出庫管理情報５０３ａが記憶されている状態で、取引結果取得部５０２ａが、新たなメニューカードのカード情報として、景品コード「０００１」、貸出レート「４円／玉」の徴収総数「１５０玉」および売上数「３本」、貸出レート「２円／玉」の徴収総数「１００玉」および売上数「１本」をリーダライタ部５０１から取得したとする。
【００９５】
かかる場合、出庫管理情報更新部５０２ｂは、景品コード「０００１」に対応する「徴収総数」のうち、貸出レート「４円／玉」の徴収総数を「６５０玉」に更新し、貸出レート「２円／玉」の徴収総数を「２１００玉」に更新し、合計数を「２７５０玉」に更新する。また、出庫管理情報更新部５０２ｂは、景品コード「０００１」に対応する「出庫数」を更新する。
【００９６】
このように、ワゴンサービスのサービス員は、メニューカードをリーダライタ部５０１にかざすだけで、複数の遊技客との取引結果を一括で出庫管理情報５０３ａへ反映させることができるため、営業終了時の締め上げ作業を容易に行うことができる。また、徴収総数や出庫数を貸出レートごとに更新することによって、ワゴンサービスにおける収支管理や出庫管理をより適切に行うことができる。
【００９７】
初期化指示部５０２ｃは、出庫管理情報更新部５０２ｂが出庫管理情報５０３ａの更新処理を終えた場合に、減算結果を削除すべき旨をメニューカードへ通知するようリーダライタ部５０１に対して指示する。なお、メニューカードは、リーダライタ部５０１から減算結果の削除指示を受けると、徴収総数および売上数を削除する。
【００９８】
このように、メニューカードをリーダライタ部５０１にかざすことによって、出庫管理情報５０３ａの更新だけでなく、メニューカードの初期化処理も行われるため、処理済みのメニューカードをサービス員が誤って再度かざしてしまい、出庫管理情報５０３ａに徴収総数や出庫数が余計に記憶されるといった事態を防ぐことができる。
【００９９】
次に、実施例１に係る台間装置１０が実行する処理手順について図８を用いて説明する。図８は、台間装置が実行する処理手順を示すフローチャートである。なお、図８においては、台間装置１０が実行する各種の処理手順のうち、メニューカードの挿入を受け付けてから排出するまでの処理手順を示している。
【０１００】
図８に示すように、カード保持部１１が、メニューカードの挿入を受け付けて保持すると（ステップＳ１０１）、交換玉数取得部１４ａは、カード保持部１１によってメニューカードから読み取られた交換玉数を取得する（ステップＳ１０２）。
【０１０１】
なお、ステップＳ１０１において、会員カードや一般カードを保持している状態でメニューカードが挿入された場合には、カード保持部１１は、既に保持している会員カードや一般カードをカード退避部１２へと退避させたうえで、挿入されたメニューカードを保持する。
【０１０２】
つづいて、交換玉数変換部１４ｂは、レート情報１５ａを参照して、設定レートが基準レートと異なるか否かを判定する（ステップＳ１０３）。そして、設定レートが基準レートと異なると判定した場合（ステップＳ１０３、Ｙｅｓ）、交換玉数変換部１４ｂは、メニューカードから取得した交換玉数を設定レートに対応した交換玉数へ変換する（ステップＳ１０４）。
【０１０３】
ステップＳ１０４の処理を終えた場合、あるいは、ステップＳ１０３において設定レートが基準レートと同じである場合（ステップＳ１０３、Ｎｏ）、減算処理部１４ｃは、持玉価値から交換玉数を減算する（ステップＳ１０５）。つづいて、関連付け部１４ｄは、カード保持部１１を介して減算処理部１４ｃによる減算結果をメニューカードへ通知する（ステップＳ１０６）。これにより、メニューカードは、台間装置１０から取得した減算結果に応じて、徴収総数および売上数を更新することとなる。
【０１０４】
そして、台間装置１０は、関連付け部１４ｄが、カード保持部１１に対してメニューカードを排出するよう指示し、カード保持部１１が、関連付け部１４ｄからの指示に応じて、メニューカードを排出して（ステップＳ１０７）、処理を終了する。
【０１０５】
上述してきたように、実施例１では、カード保持部が、メニューカードを受け付け、交換玉数取得部が、景品との交換に要する遊技媒体数である交換玉数を取得し、減算処理部が、遊技客が獲得した遊技媒体の数を含んだ持玉価値から交換玉数を減算し、関連付け部が、減算処理部によって減算された遊技媒体数を含んだ減算結果情報をメニューカードに対して関連付けることとしたため、ワゴンサービスにおける遊技客の利便性を向上させることができる。
【０１０６】
ところで、これまでは、ワゴン景品ごとにメニューカードを用意する場合について説明してきたが、メニューカードは１枚であってもよい。すなわち、１枚のメニューカードを用いて複数種類のワゴン景品の取引結果を管理することとしてもよい。以下では、かかる場合について図９を用いて説明する。図９は、１枚のメニューカードを用いて複数種類のワゴン景品の取引結果を管理する場合について説明するための図である。
【０１０７】
図９の（Ａ）に示すように、かかる場合におけるメニューカードには、景品コードおよび交換玉数は記憶されておらず、ワゴン景品ごとの徴収総数のみが記憶される。以下では、かかるメニューカードを「マルチカード」と記載する。たとえば、同図の（Ａ）に示した場合、マルチカードには、ジュースＡの徴収総数「１５０玉」がジュースＡの景品コード「０００１」と関連付けて記憶されているとともに、タバコＡの徴収総数「１０００玉」がタバコＡの景品コード「００１１」と関連付けて記憶されている。
【０１０８】
また、台間装置１０の記憶部１５には、交換玉数管理情報があらかじめ記憶される。ここで、交換玉数管理情報は、各ワゴン景品に対応する交換玉数を管理する情報であり、図９の（Ａ）に示したように、「景品コード」項目と、「景品名」項目と、「交換玉数」項目とを含んでいる。たとえば、景品コード「０００１」には、景品名「ジュースＡ」と、交換玉数「５０玉」とが関連付けられている。これは、景品コード「０００１」によって識別されるワゴン景品が「ジュースＡ」であり、ジュースＡとの交換に必要な遊技媒体数が「５０玉」であることを示している。
【０１０９】
サービス員は、遊技客から注文を受けると、まず、マルチカードを台間装置１０のカード挿入部５７へ挿入する（図９の（Ａ）参照）。つづいて、サービス員は、台間装置１０の操作・表示部５４に対して、遊技客が所望するワゴン景品の景品コードを入力する。たとえば、遊技客からお菓子Ａの注文を受けた場合、サービス員は、お菓子Ａに対応する景品コード「００２１」を入力する。
【０１１０】
一方、操作・表示部５４に対して景品コードが入力されると、台間装置１０の交換玉数取得部１４ａは、交換玉数管理情報を参照して、入力された景品コードに対応する交換玉数を取得する（同図の（Ｂ−１）参照）。ここでは、入力された景品コードが「００２１」であるため、交換玉数取得部１４ａは、交換玉数「６０玉」を取得する。
【０１１１】
つづいて、減算処理部１４ｃは、交換玉数取得部１４ａによって取得された交換玉数を持玉価値から減算する（同図の（Ｂ−２）参照）。ここでは、持玉価値「２０００玉」から交換玉数「６０玉」が減算される。なお、かかる処理に先立って、設定レートに応じた交換玉数の変換処理を行ってもよい。
【０１１２】
そして、関連付け部１４ｄは、減算結果として、操作・表示部５４に対して入力された景品コードおよび交換玉数をカード保持部１１経由でマルチカードへ通知する（同図の（Ｂ−３）参照）。ここでは、景品コード「００２１」および交換玉数「６０玉」が、マルチカードへ通知される。これにより、マルチカードには、お菓子Ａに対応する徴収総数「６０玉」が、景品コード「００２１」と関連付けて記憶されることとなる（同図の（Ｂ−４）参照）。
【０１１３】
このように、１枚のメニューカードに対して複数種類のワゴン景品の取引結果を管理することとすれば、ワゴン景品ごとにメニューカードを用意する必要がなくなる。したがって、サービス員が、遊技客から注文されたワゴン景品のメニューカードを探すのに手間取ったり、遊技客が所望するワゴン景品とは異なるワゴン景品のメニューカードを誤って使用したりする事態を防止できる。
【０１１４】
また、これまでは、減算処理部１４ｃによる減算結果をメニューカードに対して直接書き込む場合について説明してきたが、管理装置２００が減算結果を記憶することとしてもよい。そこで、かかる場合について図２を用いて説明しておく。
【０１１５】
図２に示したように、台間装置１０の関連付け部１４ｄは、カード保持部１１によって保持されたメニューカードの識別情報（以下、「カードＩＤ」と記載する）と、減算処理部１４ｃによる減算結果とを店舗内ＬＡＮ２０を介して管理装置２００へ通知する。また、管理装置２００は、台間装置１０からカードＩＤおよび減算結果を取得すると、取得したカードＩＤと減算結果とを関連付けてワゴン景品交換用ＤＢ（図示せず）に記憶する。
【０１１６】
一方、営業終了後に、サービス員がメニューカードを景品管理装置５００に対してかざすと、景品管理装置５００は、景品管理装置５００のリーダライタ部５０１が、カードＩＤを読み取り、取引結果取得部５０２ａが、店舗内ＬＡＮ２０を介してカードＩＤを管理装置２００へ通知することによって、カードＩＤに対応する減算結果を問い合わせる。そして、景品管理装置５００では、取引結果取得部５０２ａが、管理装置２００から減算結果を取得すると、出庫管理情報更新部５０２ｂが、取得した減算結果に応じて出庫管理情報５０３ａを更新する。
【０１１７】
このように、減算結果をメニューカードに対して直接書き込むのではなく、管理装置２００に管理させることとすれば、たとえば、サービス員がメニューカードを紛失した場合であっても、出庫管理情報５０３ａの更新を行うことができる。また、減算結果をメニューカードおよび管理装置２００の双方で管理することとすれば、景品管理装置５００によって更新された出庫管理情報５０３ａと管理装置２００に記憶させた減算結果とを対比することで、出庫管理情報５０３ａの整合性をチェックすることもできる。
【０１１８】
なお、実施例１では、メニューカードとの台間装置１０との通信方式として、カード挿入部５７に対してメニューカードを挿入する場合について説明してきたが、メニューカードをリーダライタ部５６に対してかざすことによって、メニューカードと台間装置とを通信させることとしてもよい。かかる場合、リーダライタ部５６は、メニューカードとの間で通信リンクが確立すると、メニューカードに記憶された交換玉数等の情報を読み取ったり、メニューカードに対して減算結果等の情報を通知したりする。
【０１１９】
このように、リーダライタ部５６を用いてメニューカードと台間装置とを通信させる方式を採用した場合、カード退避部１２のような特別な機構を台間装置１０に設ける必要がなくなるため、簡単な構成の台間装置１０に対しても本実施例に係る景品管理システムを適用することが可能となる。
【実施例２】
【０１２０】
上述した実施例１では、メニューカードやマルチカードを用いて持玉価値を徴収する場合について説明してきたが、リモコン装置や携帯電話機といった携帯端末を用いて持玉価値を徴収することとしてもよい。そこで、実施例２では、携帯端末を用いて持玉価値を徴収する場合について説明する。
【０１２１】
まず、実施例２に係る景品管理システムの概要について説明する。図１０は、実施例２に係る景品管理システムの概要を示す図である。なお、図１０の（Ａ）には、サービス員が所持するサービス員端末の外観を示し、図１０の（Ｂ）には、サービス員端末の表示部に表示される画面の一例を示している。また、図１０の（Ｃ）には、サービス員端末を用いて持玉価値を徴収する場合の動作例を示している。
【０１２２】
図１０の（Ａ）に示したように、実施例２では、サービス員端末３０を用いて持玉価値を徴収する。ここで、サービス員端末３０は、同図の（Ａ）に示したように、カーソルキーやテンキー、決定ボタン等からなる操作部３１と、各種の情報を表示する表示部３２とを備えている。サービス員は、遊技客から注文を受けると、サービス員端末３０の操作部３１を操作して遊技客が所望するワゴン景品を選択する。
【０１２３】
なお、ワゴン景品の選択操作としては、操作部３１のカーソルキーを用いて、表示部３２に表示されたワゴン景品の中から１つのワゴン景品を選択する操作であってもよいし、操作部３１のテンキーを用いて景品コードを入力する操作であってもよい。
【０１２４】
サービス員によってワゴン景品の選択操作が行われると、サービス員端末３０の表示部３２には、確認画面として、選択されたワゴン景品およびかかるワゴン景品に対応する交換玉数が表示される。サービス員は、かかる確認画面を遊技客に提示して、注文内容に間違いがないかを確認させる。そして、注文内容に間違いがないことを遊技客が確認すると、サービス員は、操作部３１の決定ボタンを押下する。
【０１２５】
サービス員によって決定ボタンが押下されると、サービス員端末３０は、選択されたワゴン景品に対応する交換玉数を台間装置１０に対して通知する（同図の（Ｃ−１）参照）。なお、サービス員端末３０は、交換玉数を赤外線通信によって台間装置１０へ通知してもよいし、台間装置１０のリーダライタ部５６に対して交換玉数を読み取らせてもよい。
【０１２６】
一方、台間装置１０は、交換玉数取得部１４ａが、リモコン受光部５３あるいはリーダライタ部５６を介して交換玉数を取得すると、減算処理部１４ｃが、取得した交換玉数を持玉価値から減算する（同図の（Ｃ−２）参照）。なお、実施例１と同様、かかる処理に先立って、設定レートに応じた交換玉数の変換処理を行ってもよい。
【０１２７】
つづいて、台間装置１０は、関連付け部１４ｄが、リーダライタ部５６を介して減算結果をサービス員端末３０へ通知する（同図の（Ｃ−３）参照）。そして、サービス員端末３０は、台間装置１０から取得した減算結果に応じた取引結果を記憶する（同図の（Ｃ−４）参照）。
【０１２８】
次に、実施例２に係るサービス員端末３０の構成について図１１を用いて説明する。図１１は、実施例２に係るサービス員端末３０の構成を示すブロック図である。なお、同図には、サービス員端末３０の特徴を説明するために必要な構成要素のみを示しており、一般的な構成要素についての記載を省略している。
【０１２９】
図１１に示すように、サービス員端末３０は、操作部３１と、表示部３２と、近距離通信部３３と、制御部３４と、記憶部３５とを備えている。また、制御部３４は、交換玉数取得部３４ａと、交換玉数通知部３４ｂと、取引結果更新部３４ｃとを備えている。また、記憶部３５は、交換玉数管理情報３５ａと、取引結果情報３５ｂとを記憶している。なお、交換玉数管理情報３５ａは、図９の（Ａ）に示した交換玉数管理情報と同様の情報である。
【０１３０】
操作部３１は、図１０の（Ａ）に示したように、カーソルキーやテンキー、決定ボタン等を含んだ入力デバイスである。また、表示部３２は、各種の情報を表示する表示デバイスである。近距離通信部３３は、台間装置１０のリーダライタ部５６との間で非接触データ通信を行うためのデバイスである。なお、サービス員端末３０は、台間装置１０のリモコン受光部５３との間で赤外線通信を行うための赤外線通信部をさらに備えていてもよい。
【０１３１】
制御部３４は、交換玉数の取得、台間装置１０への交換玉数の通知、取引結果情報の更新といった処理を行う処理部である。交換玉数取得部３４ａは、操作部３１への入力内容に応じた交換玉数および景品名を交換玉数管理情報３５ａから取得する処理部である。
【０１３２】
具体的には、交換玉数取得部３４ａは、操作部３１のカーソルキー操作によってワゴン景品が選択された場合には、選択されたワゴン景品に対応する交換玉数および景品名を交換玉数管理情報３５ａから取得する。また、交換玉数取得部３４ａは、操作部３１のテンキー操作によって景品コードが入力された場合には、入力された景品コードに対応する交換玉数および景品名を交換玉数管理情報３５ａから取得する。
【０１３３】
また、交換玉数取得部３４ａは、交換玉数管理情報３５ａから取得した交換玉数および景品名を表示部３２に対して表示させる。これにより、表示部３２には、図１０の（Ｂ）に示したような確認画面が表示される。
【０１３４】
交換玉数通知部３４ｂは、交換玉数取得部３４ａから交換玉数を受け取るとともに、受け取った交換玉数を近距離通信部３３を介して台間装置１０へ通知する処理部である。なお、ここでは、台間装置１０のリーダライタ部５６を介した非接触データ通信によって交換玉数を通知する場合について説明するが、リモコン受光部５３を介した赤外線通信によって交換玉数を通知することとしてもよい。
【０１３５】
取引結果更新部３４ｃは、近距離通信部３３を介して取得した減算結果に応じて、記憶部３５に記憶された取引結果情報３５ｂを更新する処理部である。ここで、取引結果情報３５ｂとは、図９の（Ａ）に示したマルチカードに記憶される情報と同様の情報である。具体的には、取引結果情報３５ｂには、各ワゴン景品の景品コードごとに徴収総数や売上数が関連付けられている。たとえば、減算結果として、景品コード「０００１」および交換玉数「５０玉」を取得すると、取引結果更新部３４ｃは、景品コード「０００１」に対応する徴収総数に「５０玉」を加算するとともに、売上数に「１本」を加算する。
【０１３６】
つぎに、サービス員端末３０と台間装置１０との間で実行される処理手順について図１２を用いて説明する。図１２は、サービス員端末３０と台間装置１０との間で実行される処理手順を示すシーケンス図である。
【０１３７】
図１２に示すように、操作部３１への操作内容を取得すると（ステップＳ２０１）、交換玉数取得部３４ａは、取得した操作内容に対応する景品名および交換玉数を交換玉数管理情報から取得する（ステップＳ２０２）。そして、交換玉数取得部３４ａは、取得した景品名および交換玉数を含んだ確認画面を表示部３２へ表示させる（ステップＳ２０３）。
【０１３８】
つづいて、交換玉数通知部３４ｂは、操作部３１の決定ボタンが押下されたか否かを判定し（ステップＳ２０４）、決定ボタンが押下された場合には（ステップＳ２０４、Ｙｅｓ）、交換玉数を台間装置１０へ通知する（ステップＳ２０５）。
【０１３９】
一方、台間装置１０は、交換玉数取得部１４ａが、サービス員端末３０から交換玉数を取得すると、交換玉数変換部１４ｂが、レート情報１５ａを参照して、設定レートが基準レートと異なるか否かを判定する（ステップＳ２０６）。そして、設定レートが基準レートと異なると判定した場合（ステップＳ２０６、Ｙｅｓ）、交換玉数変換部１４ｂは、メニューカードから取得した交換玉数を設定レートに対応した交換玉数へ変換する（ステップＳ２０７）。
【０１４０】
ステップＳ２０７の処理を終えた場合、あるいは、ステップＳ２０６において設定レートが基準レートと同じである場合（ステップＳ２０６、Ｎｏ）、減算処理部１４ｃは、持玉価値から交換玉数を減算する（ステップＳ２０８）。そして、台間装置１０は、関連付け部１４ｄが、リーダライタ部５６を介して減算処理部１４ｃによる減算結果をサービス員端末３０へ通知して（ステップＳ２０９）、処理を終了する。
【０１４１】
また、サービス員端末３０は、近距離通信部３３を介して減算結果を取得すると、取引結果更新部３４ｃが、取得した減算結果に応じて取引結果情報３５ｂを更新して（ステップＳ２１０）、処理を終了する。
【０１４２】
上述してきたように、実施例２では、携帯端末を用いて持玉価値を徴収することとしたため、マルチカードを用いた場合と同様、ワゴン景品ごとにメニューカードを用意する必要がなくなる。さらに、台間装置１０の操作・表示部５４を用いてワゴン景品を指定する場合と比較して、入力しやすい姿勢で操作を行うことができるため、ワゴン景品を指定する場合の操作利便性を向上させることができる。
【０１４３】
なお、実施例２では、携帯端末の一例として、サービス員端末３０を用いて説明したが、携帯端末は、近距離通信機能を備えた携帯電話機等であってもよい。
【０１４４】
ところで、上述してきた実施例１および実施例２では、交換玉数を持玉価値から減算する場合について説明してきたが、遊技店の会員である遊技客にとっては、交換玉数を持玉価値からではなく貯玉価値から減算してほしい場合もある。
【０１４５】
すなわち、遊技店によっては、貯玉価値を用いて遊技を行う際に貯玉価値から再プレイ手数料が差し引かれる場合があるが、そのような店舗であっても、貯玉価値を景品に交換する場合や持玉価値を遊技に用いる場合あるいは持玉価値を景品に交換する場合には手数料が発生しない。したがって、交換玉数を持玉価値からではなく貯玉価値から減算した方が、実際に遊技に使用できる遊技媒体数が多くなるため、遊技客は、交換玉数を貯玉価値から減算したいと考えるのである。
【０１４６】
そこで、以下では、交換玉数を持玉価値からではなく貯玉価値から優先的に徴収する場合について説明する。まず、台間装置１０が、交換玉数を貯玉価値から優先的に徴収する場合の動作の概要を図１３を用いて説明する。図１３は、交換玉数を貯玉価値から優先的に徴収する場合の動作の概要を示す図である。
【０１４７】
同図の（Ａ）に示すように、台間装置１０のカード保持部１１に会員カードが保持されているとする。かかる会員カードには、持玉価値「１０００玉」および貯玉価値「８００玉」が関連付けられている。ここで、カード保持部１１は、保持した会員カードから会員ＩＤを読み出し、記憶部１５に記憶しておくこととする。
【０１４８】
かかる場合において、同図の（Ａ）に示したように、ジュースＡのメニューカードが挿入されると、台間装置１０の交換玉数取得部１４ａは、メニューカードに記憶された交換玉数「５０玉」を取得する。
【０１４９】
なお、会員カードは、メニューカードの挿入時までに台間装置１０に挿入されていればよい。すなわち、遊技客は、ワゴン景品の注文時に会員カードを挿入してもよい。また、遊技客は、ワゴン景品の注文時に、会員登録された（会員ＩＤを割り当てられた）携帯電話機をリーダライタ部５６へかざすこととしてもよい。
【０１５０】
なお、上述してきたように、交換玉数取得部１４ａは、操作・表示部５４への入力内容を交換玉数として取得してもよいし、サービス員端末３０から交換玉数を取得してもよい。また、上述してきたように、カード保持部１１は、既に保持している会員カードをカード退避部１２へと退避させたうえで、挿入されたメニューカードを保持する。
【０１５１】
つづいて、台間装置１０の減算処理部１４ｃは、まず、自装置に会員カードが挿入されているか否かを判定する。かかる判定は、たとえば、記憶部１５に会員ＩＤが記憶されているか否か等によって判定されるものとする。そして、減算処理部１４ｃは、会員カードが挿入されていると判定すると、かかる会員カードに対して関連付けられた貯玉価値から交換玉数を減算する。なお、かかる減算処理に先立って、設定レートに応じた交換玉数の変換処理を行ってもよい。
【０１５２】
この結果、同図の（Ｂ）に示すように、会員カードに対して関連付けられた貯玉価値は「８００玉」から「７５０玉」に減算され、減算された遊技媒体数「５０玉」が減算結果としてメニューカードへ加算される。
【０１５３】
このように、台間装置１０に対して会員カードが挿入されている場合には、交換玉数を貯玉価値から減算することによって、遊技客は、より多くの遊技媒体を遊技に使用することが可能となる。また、持玉価値あるいは貯玉価値のどちらから交換玉数を減算するかを選択するまでもなく、自動的に貯玉価値から減算されるため、操作を簡略化することができ、誤操作を防止することもできる。
【０１５４】
なお、貯玉価値から交換玉数を減算する場合に貯玉価値が不足したならば、かかる不足分を持玉価値から減算することとしてもよい。たとえば、交換玉数が「３００玉」、貯玉価値が「１００玉」、持玉価値が「１０００玉」である場合、減算処理部１４ｃは、貯玉価値を「１００玉」減算するとともに、不足分である「２００玉」を持玉価値「１０００玉」から減算する。このように、不足分を他方の持玉価値から減算することによって、貯玉価値が残りわずかであっても、所望のワゴン景品を貯玉価値を利用しつつ購入することができる。
【０１５５】
つぎに、交換玉数を貯玉価値から優先的に徴収する場合における台間装置１０の処理手順について図１４を用いて説明する。図１４は、交換玉数を貯玉価値から優先的に徴収する場合における台間装置１０の処理手順を示すフローチャートである。
【０１５６】
同図に示すように、カード保持部１１が、メニューカードの挿入を受け付けて保持すると（ステップＳ３０１）、交換玉数取得部１４ａは、カード保持部１１によってメニューカードから読み取られた交換玉数を取得する（ステップＳ３０２）。
【０１５７】
つづいて、減算処理部１４ｃは、会員カードが挿入されているか否かを判定し（ステップＳ３０３）、会員カードが挿入されている場合には（ステップＳ３０３、Ｙｅｓ）、かかる会員カードに関連付けられた貯玉価値から交換玉数を減算する（ステップＳ３０４）。なお、減算処理部１４ｃは、記憶部１５に記憶されたカードＩＤを管理装置２００へ通知することによって、会員カードに関連付けられた貯玉価値を問い合わせる。
【０１５８】
一方、減算処理部１４ｃは、会員カードが挿入されていない場合には（ステップＳ３０３、Ｎｏ）、持玉情報１５ｂとして記憶部１５に記憶された持玉価値から交換玉数を減算する（ステップＳ３０５）。
【０１５９】
ステップＳ３０４，Ｓ３０５の処理を終えると、減算処理部１４ｃは、不足が生じたか否かを判定し（ステップＳ３０６）、不足が生じた場合には（ステップＳ３０６、Ｙｅｓ）、不足分を他方の価値から減算する（ステップＳ３０７）。すなわち、減算処理部１４ｃは、貯玉価値から交換玉数を減算して不足が生じた場合には、不足分を持玉価値から減算し、持玉価値から交換玉数を減算して不足が生じた場合には、不足分を貯玉価値から減算する。
【０１６０】
ステップＳ３０７を終えたとき、あるいは、ステップＳ３０６において不足が生じていない場合（ステップＳ３０６、Ｎｏ）、関連付け部１４ｄは、カード保持部１１を介して減算処理部１４ｃによる減算結果をメニューカードへ通知する（ステップＳ３０８）。これにより、メニューカードは、台間装置１０から取得した減算結果に応じて、徴収総数および売上数を更新することとなる。
【０１６１】
そして、台間装置１０は、関連付け部１４ｄが、カード保持部１１に対してメニューカードを排出するよう指示し、カード保持部１１が、関連付け部１４ｄからの指示に応じて、メニューカードを排出して（ステップＳ３０９）、処理を終了する。
【０１６２】
なお、上述した説明では、交換玉数を貯玉価値から優先的に減算することがあらかじめ決められているものとしたが、遊技客による操作・表示部５４への操作に応じて、減算処理部１４ｃが、交換玉数の減算対象となる価値を決定することとしてもよい。このように、交換玉数の減算対象を遊技客に選択させることによって、遊技客の要望に対してより柔軟に対応することが可能となる。
【０１６３】
ところで、これまでは、メニューカードやマルチカードあるいはサービス員端末３０といった専用媒体・専用機器を用いて持玉価値を徴収する場合について説明してきたが、これらを使用することなく、台間装置１０の操作・表示部５４への入力操作のみによって持玉価値を徴収することとしてもよい。以下では、かかる場合について図１５を用いて説明する。図１５は、台間装置１０の操作・表示部５４への入力操作のみによって持玉価値を徴収する場合の動作を説明するための図である。
【０１６４】
同図の（Ａ）に示すように、台間装置１０の記憶部１５には、交換玉数管理情報が記憶される。ここで、交換玉数管理情報は、図９の（Ａ）に示した交換玉数管理情報と同様の情報である。
【０１６５】
遊技客は、ワゴン景品を注文したい場合は、注文したいワゴン景品に対応する景品コードを台間装置１０の操作・表示部５４に対して入力する。たとえば、お菓子Ａを注文したい遊技客は、同図の（Ｂ）に示したように、お菓子Ａに対応する景品コード「００２１」を操作・表示部５４に対して入力する。
【０１６６】
なお、操作・表示部５４としてタッチパネルディスプレイを台間装置１０に設け、タッチパネルディスプレイに対してワゴン景品の景品名や画像等を表示することとし、遊技客に対して、これら景品名や画像等を押下させるようにしてもよい。これにより、遊技客は、景品コードを入力する必要がなくなるため、ワゴンサービスの利便性を向上させることができる。
【０１６７】
一方、操作・表示部５４に対して景品コードが入力されると、台間装置１０の交換玉数取得部１４ａは、交換玉数管理情報を参照して、入力された景品コードに対応する交換玉数を取得する（同図の（Ｂ−１）参照）。ここでは、入力された景品コードが「００２１」であるため、交換玉数取得部１４ａは、交換玉数「６０玉」を取得する。
【０１６８】
つづいて、減算処理部１４ｃは、交換玉数取得部１４ａによって取得された交換玉数を持玉価値から減算する（同図の（Ｂ−２）参照）。ここでは、持玉価値「２０００玉」から交換玉数「６０玉」が減算される。
【０１６９】
つづいて、関連付け部１４ｄは、減算結果として、操作・表示部５４に対して入力された景品コードおよび交換玉数を店舗内ＬＡＮ２０を介して管理装置２００へ通知する。ここでは、景品コード「００２１」、交換玉数「６０玉」および台間装置１０の台番号「１００」が、管理装置２００へ通知される。そして、管理装置２００は、台間装置１０から減算結果を取得すると、取得した交換玉数を景品コードや台番号と関連付けてワゴン景品交換用ＤＢに記憶する。
【０１７０】
なお、遊技客による景品コードの入力操作に先立って、サービス員が、あらかじめ登録された認証情報（たとえば、店員番号）をリモコンや操作・表示部５４を用いて入力するようにしてもよい。具体的には、サービス員によって認証情報が入力されることなく、景品コードが入力された場合には、減算処理部１４ｃは、減算処理を実行しないこととすればよい。これにより、遊技客による誤操作を防止することができる。
【０１７１】
また、図１５では、サービス員が操作・表示部５４に対して景品コードを入力して持玉価値を徴収する場合について説明したが、景品コードが記憶されたメニューカードを台間装置１０に対して挿入したりかざしたりすることによって、持玉価値を徴収することとしてもよい。すなわち、台間装置１０は、受け付けたメニューカードから景品コードを読み取った場合に、交換玉数管理情報を参照して、読み取った景品コードに対応する交換玉数を取得するようにしてもよい。
【０１７２】
なお、上述してきた各実施例では、各台対応装置の一例として、計数部５８が台間装置１０の下部に設けられている場合について示したが、計数部５８を、台間装置１０や遊技台１００が設置される遊技島の膳板を貫通させた位置（膳板の下方）に設けることとしてもよい。また、計数部５８を、呼出ランプのように台間装置１０の上部に設けることとしてもよいし、台間装置１０とは独立した装置として構成することとしてもよい。
【産業上の利用可能性】
【０１７３】
以上のように、本発明に係る景品管理システムおよび台間装置は、ワゴンサービスにおける遊技客の利便性を高めたい場合に有用であり、特に、各台計数方式を用いた遊技店システムへの適用に適している。
【符号の説明】
【０１７４】
１０    台間装置
１１    カード保持部
１２    カード退避部
１３    計数部
１４    制御部
１４ａ  交換玉数取得部
１４ｂ  交換玉数変換部
１４ｃ  減算処理部
１４ｄ  関連付け部
１５    記憶部
１５ａ  レート情報
１５ｂ  持玉情報
２０    店舗内ＬＡＮ
３０    サービス員端末
３１    操作部
３２    表示部
３３    近距離通信部
３４    制御部
３４ａ  交換玉数取得部
３４ｂ  交換玉数通知部
３４ｃ  取引結果更新部
３５    記憶部
３５ａ  交換玉数管理情報
３５ｂ  取引結果情報
５１    状態表示部
５２    紙幣挿入部
５３    リモコン受光部
５４    操作・表示部
５５    持玉払出部
５６    リーダライタ部
５７    カード挿入部
５８    計数部
５９    玉貯留部
１００    遊技台
１００ａ  表示部
１００ｂ  操作ボタン
１００ｃ  下皿
２００    管理装置
３００    島コントローラ
４００    精算機
５００    景品管理装置
５０１    リーダライタ部
５０２    制御部
５０２ａ  取引結果取得部
５０２ｂ  出庫管理情報更新部
５０２ｃ  初期化指示部
５０３    記憶部
５０３ａ  出庫管理情報
６００    カード処理機
７００    景品払出機
【図１】
0005567317.tif 000002
【図２】
0005567317.tif 000003
【図３】
0005567317.tif 000004
【図４】
0005567317.tif 000005
【図５】
0005567317.tif 000006
【図６】
0005567317.tif 000007
【図７】
0005567317.tif 000008
【図８】
0005567317.tif 000009
【図９】
0005567317.tif 000010
【図１０】
0005567317.tif 000011
【図１１】
0005567317.tif 000012
【図１２】
0005567317.tif 000013
【図１３】
0005567317.tif 000014
【図１４】
0005567317.tif 000015
【図１５】
0005567317.tif 000016